(57)【要約】【課題】制御異常発生時のＬＥＤの長周期かつ長期的な点滅を抑制するＬＥＤ用電源装置を提供する。【解決手段】ＬＥＤ用電源装置（１００）は、直流出力電流をＬＥＤ（５０）に供給可能なＤＣ／ＤＣコンバータ（３００）と、ＤＣ／ＤＣコンバータを駆動するドライバ回路（６００）と、直流出力電流に対応する電圧が間欠的に異常検出閾値を超える各期間にコンデンサ（３５）を充電し、段階的に充電されるコンデンサの電圧が作動閾値を超えた充電完了時に、ドライバ回路にＤＣ／ＤＣコンバータの駆動を停止状態又は低減状態に固定させるように構成された点滅抑制回路（８００）を備える。【選択図】  図１
2017123261.tif 000002
【特許請求の範囲】
【請求項１】
ＬＥＤ用電源装置であって、
直流出力電流をＬＥＤに供給可能なＤＣ／ＤＣコンバータと、
前記ＤＣ／ＤＣコンバータを駆動するドライバ回路と、
前記直流出力電流に対応する出力相関電圧が間欠的に異常検出閾値を超える各期間にコンデンサを充電し、段階的に充電される前記コンデンサの電圧が作動閾値を超える充電完了時に、前記ドライバ回路に前記ＤＣ／ＤＣコンバータの駆動を停止状態又は低減状態に固定させるように構成された点滅抑制回路と
を備えたＬＥＤ用電源装置。
【請求項２】
請求項１に記載のＬＥＤ用電源装置において、
前記ドライバ回路が、所定端子を有し、該所定端子の端子電圧が下限閾値以下である場合に前記ＤＣ／ＤＣコンバータの駆動を停止し、前記端子電圧が前記下限閾値より高く上限閾値未満である場合に前記端子電圧に応じて前記ＤＣ／ＤＣコンバータを駆動し、前記端子電圧が前記上限閾値以上となる場合に前記ＤＣ／ＤＣコンバータを間欠的に駆動するように構成され、
前記出力相関電圧が前記端子電圧であり、前記異常検出閾値が前記上限閾値よりも低く、
前記点滅抑制回路が、前記充電完了時に前記端子電圧を、前記下限閾値以下の値又は前記直流出力電流が前記ＬＥＤの定格電流値以下となるように設定された値に固定するように構成された、ＬＥＤ用電源装置。
【請求項３】
請求項１に記載のＬＥＤ用電源装置において、
前記ドライバ回路が、所定端子を有し、該所定端子の端子電圧に対応するＰＷＭゲート信号を生成して前記ＤＣ／ＤＣコンバータのスイッチング素子をＰＷＭ駆動するように構成され、前記端子電圧が下限閾値以下である場合に前記ＰＷＭゲート信号を停止し、前記端子電圧が前記下限閾値より高く上限閾値未満である場合に前記端子電圧に応じたオンデューティの前記ＰＷＭゲート信号を出力し、前記端子電圧が前記上限閾値以上となる場合に前記ＰＷＭゲート信号を間欠的に出力するように構成され、
前記出力相関電圧が、前記ＰＷＭゲート信号を積分して得られる電圧であり、
前記点滅抑制回路が、前記充電完了時に前記端子電圧を、前記下限閾値以下の値又は前記直流出力電流が前記ＬＥＤの定格電流値以下となるように設定された値に固定するように構成された、ＬＥＤ用電源装置。
【請求項４】
請求項１から３のいずれか一項に記載のＬＥＤ用電源装置において、
前記点滅抑制回路が、
前記コンデンサと、
前記出力相関電圧が前記異常検出閾値を超える場合にオンされて前記コンデンサを充電する第１のトランジスタと、
前記コンデンサの電圧が前記作動閾値を超える場合にオンされてトリガ電流を発生させる第２のトランジスタと、
一対のフォトダイオード及びフォトトランジスタを内蔵し、前記フォトダイオードのカソードが前記フォトトランジスタのコレクタに接続され、前記第２のトランジスタと前記フォトダイオードが直列接続され、前記トリガ電流が前記フォトダイオードを流れることによって前記フォトトランジスタにラッチ電流が流れるように構成されたフォトカプラと、
前記ラッチ電流が入力されることによってオンされ、前記端子電圧を、前記下限閾値以下の値又は前記直流出力電流が前記ＬＥＤの定格電流値以下となるように設定された値に低下させる第３のトランジスタと
を含む、ＬＥＤ用電源装置。
【請求項５】
請求項４に記載のＬＥＤ用電源装置において、前記ラッチ電流が少なくとも前記ＤＣ／ＤＣコンバータの入力電圧から抵抗を介して供給されるように構成された、ＬＥＤ用電源装置。
【請求項６】
請求項１から５のいずれか一項に記載のＬＥＤ用電源装置において、前記端子電圧が所定回数にわたって前記上限閾値に達した場合に前記コンデンサの電圧が前記作動閾値を超えるように、前記異常検出閾値、前記コンデンサの容量及び前記コンデンサの充電電流が設定され、前記所定回数が１回以上１０回以下、好ましくは２回以上４回以下である、ＬＥＤ用電源装置。
【請求項７】
請求項１から６のいずれか一項に記載のＬＥＤ用電源装置と、前記ＬＥＤとを備えたＬＥＤ照明装置。
【発明の詳細な説明】
【技術分野】
【０００１】
本発明は、ＬＥＤ用電源装置及びそれを用いたＬＥＤ照明装置に関する。
【背景技術】
【０００２】
特許文献１は、直流電源装置を構成するＤＣ／ＤＣコンバータを制御する電源制御用ＩＣを開示する。この制御ＩＣは、トランス二次側での出力検出に基づいてトランス一次側の電流を制御する。具体的には、制御ＩＣは、二次側検出回路からの検出電圧がフォトカプラを介してフィードバックされる外部端子と、入力電圧に応じてトランス一次側巻線に流す電流を制御するスイッチング素子の制御信号を生成して出力する制御回路と、入力電圧に基づいて内部基準電圧を発生する電圧生成回路と、外部端子の電圧と所定の参照電圧とを比較する電圧比較回路とを有する。制御回路は、電圧比較回路の出力に基づいて異常検出時に制御信号の出力を停止するように構成される。例えば、フィードバック制御において上記外部端子の電圧が所定閾値を超えると制御回路が制御信号の出力を停止してＤＣ／ＤＣコンバータの出力を停止させることが開示される。
【先行技術文献】
【特許文献】
【０００３】
【特許文献１】特許第５５２６８５７公報
【発明の概要】
【発明が解決しようとする課題】
【０００４】
しかし、特許文献１の構成によると、二次側制御回路による制御の異常の態様によっては上記制御ＩＣの保護動作に起因してＬＥＤが点滅を継続するという問題があった。詳細を後述するように、制御ＩＣにおいては、上記外部端子の電圧が所定閾値を超えると制御信号の出力が一旦停止され、その後（例えば数秒後）自己復帰動作により制御信号の出力が再開される。これにより、ＬＥＤ及びＤＣ／ＤＣコンバータが正常な状態においてフィードバック制御に異常が発生して外部端子電圧が上昇した場合、異常検出によるＤＣ／ＤＣコンバータの出力の停止と、その後の復帰動作による出力の再開とが繰り返される。したがって、ＬＥＤは長周期（数秒周期程度）で長期間にわたって点滅を繰り返すことになる。このＬＥＤの長周期かつ長期的な点滅は使用者には不快なものとなり、好ましくない。
【０００５】
そこで、本発明は、制御異常発生時のＬＥＤの長周期かつ長期的な点滅を抑制するＬＥＤ用電源装置及びそれを用いたＬＥＤ照明装置を提供することを課題とする。
【課題を解決するための手段】
【０００６】
本発明のＬＥＤ用電源装置は、直流出力電流をＬＥＤに供給可能なＤＣ／ＤＣコンバータと、ＤＣ／ＤＣコンバータを駆動するドライバ回路と、直流出力電流に対応する出力相関電圧が間欠的に異常検出閾値を超える各期間にコンデンサを充電し、段階的に充電されるコンデンサの電圧が作動閾値を超える充電完了時に、ドライバ回路にＤＣ／ＤＣコンバータの駆動を停止状態又は低減状態に固定させるように構成された点滅抑制回路とを備える。
【０００７】
このように、出力相関電圧が間欠的に異常検出閾値を超える各期間にコンデンサが充電され、直流出力電流の間欠出力の周期でコンデンサが段階的に充電されていく。そして、充電完了時以降は、ＤＣ／ＤＣコンバータの駆動が停止又は低減され、ＬＥＤが消灯状態又は減光点灯状態となる。したがって、制御異常時のＤＣ／ＤＣコンバータの間欠出力によるＬＥＤの長周期かつ長期的な点滅が抑制される。
【０００８】
第１の形態のＬＥＤ用電源装置では、ドライバ回路は、所定端子を有し、所定端子の端子電圧が下限閾値以下である場合にＤＣ／ＤＣコンバータの駆動を停止し、端子電圧が下限閾値より高く上限閾値未満である場合に端子電圧に応じてＤＣ／ＤＣコンバータを駆動し、端子電圧が上限閾値以上となる場合にＤＣ／ＤＣコンバータを間欠的に駆動するように構成され、出力相関電圧は端子電圧であり、異常検出閾値は上限閾値よりも低く、点滅抑制回路は、充電完了時に端子電圧を下限閾値以下の値に固定するように構成される。このように、直流出力電流を直接決定する端子電圧が出力相関電圧として採用されるので、高い信頼性でＬＥＤの点滅を検出及び停止することが可能となる。
【０００９】
第２の形態のＬＥＤ用電源装置では、ドライバ回路は、所定端子を有し、所定端子の端子電圧に対応するＰＷＭゲート信号を生成してＤＣ／ＤＣコンバータのスイッチング素子をＰＷＭ駆動するように構成され、端子電圧が下限閾値以下である場合にＰＷＭゲート信号を停止し、端子電圧が下限閾値より高く上限閾値未満である場合に端子電圧に応じたオンデューティのＰＷＭゲート信号を出力し、端子電圧が上限閾値以上となる場合にＰＷＭゲート信号を間欠的に出力するように構成され、出力相関電圧は、ＰＷＭゲート信号を積分して得られる電圧であり、点滅抑制回路は、充電完了時に端子電圧を下限閾値以下の値に固定するように構成される。このように、比較的高い電圧振幅値を設定可能なＰＷＭゲート信号の積分値が出力相関電圧として採用されるので、出力相関電圧の変動幅が広く、点滅抑制回路における高い設計自由度が得られる。
【００１０】
また、第３の形態として、上記第１又は第２の形態において、点滅抑制回路が、充電完了時に、端子電圧を下限閾値以下の値に固定する代わりに、端子電圧を直流出力電流がＬＥＤの定格電流値以下となるように設定された値に固定するように構成される。これにより、ＬＥＤの点滅状態から減光点灯状態への移行が可能となり、制御異常時においても連続光による最小限の照明機能が確保される。
【００１１】
ここで、上記第１から第３の形態において、点滅抑制回路は、コンデンサと、出力相関電圧が異常検出閾値を超える場合にオンされてコンデンサを充電する第１のトランジスタと、コンデンサの電圧が作動閾値を超える場合にオンされてトリガ電流を発生させる第２のトランジスタと、一対のフォトダイオード及びフォトトランジスタを内蔵し、フォトダイオードのカソードがフォトトランジスタのコレクタに接続され、第２のトランジスタとフォトダイオードが直列接続され、トリガ電流がフォトダイオードを流れることによってフォトトランジスタにラッチ電流が流れるように構成されたフォトカプラと、ラッチ電流が入力されることによってオンされ、端子電圧を、下限閾値以下の値又は直流出力電流がＬＥＤの定格電流値以下となるように設定された値に低下させる第３のトランジスタとを含む。これにより、コンデンサの段階的な充電及び充電完了後の端子電圧のラッチを可能とする点滅抑制回路が簡素な構成で実現される。
【００１２】
また、ラッチ電流は少なくともＤＣ／ＤＣコンバータの入力電圧から抵抗を介して供給されるように構成されることが好ましい。これにより、ＤＣ／ＤＣコンバータの駆動が停止された状態においても確実にラッチ電流が維持され、ＤＣ／ＤＣコンバータの停止状態が維持される。
【００１３】
また、端子電圧が所定回数にわたって上限閾値に達した場合にコンデンサの電圧が作動閾値を超えるように、異常検出閾値、コンデンサの容量及びコンデンサの充電電流が設定され、上記所定回数は１回以上１０回以下であることが好ましく、２回以上４回以下であることがより好ましい。このように、適切な点滅回数を経てＬＥＤの消灯又は減光点灯への移行が行われるので、点滅継続による不快感の防止と点滅による異常の報知とが両立される。
【００１４】
本発明のＬＥＤ照明装置は、上記いずれかのＬＥＤ用電源装置と、ＬＥＤとを備える。本構成のＬＥＤ照明装置は、上記のように制御異常時のＬＥＤの点滅を抑制するＬＥＤ用電源装置を含むので、制御異常時においても点滅継続によるユーザへの不快感を防止することができる。
【図面の簡単な説明】
【００１５】
【図１】第１の実施形態によるＬＥＤ用電源装置及びＬＥＤ照明装置を示す図である。
【図２】図１のＬＥＤ用電源装置のドライバ回路を説明する図である。
【図３】第１の実施形態によるＬＥＤ用電源装置の動作を説明する図である。
【図４】第２の実施形態によるＬＥＤ用電源装置及びＬＥＤ照明装置を示す図である。
【図５】第２の実施形態によるＬＥＤ用電源装置の動作を説明する図である。
【図６】第３の実施形態におけるドライバ回路及び点滅抑制回路を示す図である。
【図７】第３の実施形態によるＬＥＤ用電源装置の動作を説明する図である。
【図８】比較例のＬＥＤ用電源装置の動作を説明する図である。
【発明を実施するための形態】
【００１６】
＜第１の実施形態＞
図１に、本発明の第１の実施形態によるＬＥＤ用電源装置１００及びＬＥＤ照明装置１５０を示す。ＬＥＤ照明装置１５０は、ＬＥＤ用電源回路１００及びＬＥＤ５０（ＬＥＤユニット）を備える。ＬＥＤ用電源装置１００には、交流電源ＡＣ（例えば、商用電源）からの電源電圧が入力端子Ｔ１及びＴ２を介して給電され、ＬＥＤ用電源装置１００によって生成される直流出力電流が出力端子Ｔ３及びＴ４、配線Ｗ１及びＷ２並びに端子Ｔ５及びＴ６を介してＬＥＤ５０に供給される。ＬＥＤ５０は、直列接続又は直並列接続された複数のＬＥＤ素子のアレイである。ＬＥＤ用電源装置１００は、入力回路２００、ＤＣ／ＤＣコンバータ３００、検出回路４００、補助電源回路５００、ドライバ回路６００、フィードバック回路７００及び点滅抑制回路８００を備える。
【００１７】
入力回路２００は、電流ヒューズ１及び２、ダイオードブリッジ３、入力コンデンサ４、並びに必要に応じてノイズフィルタを備える。入力回路２００には交流電源ＡＣからの交流電圧が入力され、ダイオードブリッジ３による全波整流出力が入力コンデンサ４によって若干平滑されてＤＣ／ＤＣコンバータ３００に出力される。なお、入力電源が直流電源である場合にはダイオードブリッジ３は不要である。
【００１８】
ＤＣ／ＤＣコンバータ３００は、本実施形態においては絶縁型フライバックコンバータからなり、力率改善機能を持つ、いわゆるワンコンバータ方式のフライバック回路を構成する。ＤＣ／ＤＣコンバータ３００は、スイッチング素子５、トランス６、電流検知抵抗７、ダイオード８、及び出力コンデンサ９（以下、「コンデンサ９」ともいう）を含む。本実施形態では、スイッチング素子５はＭＯＳＦＥＴからなるので、以降においてスイッチング素子５のことをＦＥＴ５ともいう。また、トランス６の一次巻線側の基準電位（すなわち、入力コンデンサ４の低電位電極側ノード）を一次側グランドＧ１といい、二次巻線側の基準電位（すなわち、出力コンデンサ９の低電位電極側ノード）を二次側グランドＧ２というものとする。本実施形態のＤＣ／ＤＣコンバータ３００は力率改善型であるので、出力コンデンサ９が低周波リップル（入力電源周波数に基づくリップル）の平滑機能を担う。したがって、入力コンデンサ４の容量≪出力コンデンサ９の容量である。
【００１９】
ＤＣ／ＤＣコンバータ３００のＰＷＭ制御において、ＦＥＴ５のオン期間にトランス６の一次巻線にエネルギーが蓄積され、ＦＥＴ５のオフ期間にそのエネルギーがトランス６の二次巻線側からダイオード８を介してコンデンサ９に充電される。ＤＣ／ＤＣコンバータ３００の出力は、ＦＥＴ５のオンデューティ（オン幅）、トランス６の一次巻線に対する二次巻線の巻数比等によって決まる。ＦＥＴ５は、制御ＩＣ２０から出力されるＰＷＭゲート信号によって駆動される。なお、以降の説明において、ＤＣ／ＤＣコンバータ３００の出力電流を「出力電流」といい、ＤＣ／ＤＣコンバータ３００の出力電圧を「出力電圧」という。本実施形態では、ＬＥＤ電流は出力電流に実質的に等しい。
【００２０】
検出回路４００は、電流検出抵抗１０からなる電流検出回路並びに抵抗１１、１２及び１３からなる電圧検出回路を含み、二次側グランドＧ２を基準電位とする。電流検出抵抗１０は二次側グランドＧ２とＬＥＤ５０のカソード端との間に挿入された低抵抗素子からなり、出力電流に比例した電圧が電流検出抵抗１０に発生する。電圧検出回路（抵抗１１、１２及び１３）はコンデンサ９に並列接続された分圧抵抗回路からなり、出力電圧に比例した電圧が抵抗１３に発生する。
【００２１】
補助電源回路５００は、一次側グランドＧ１を基準電位とする一次側電源回路、及び二次側グランドＧ２を基準電位とする二次側電源回路（不図示）を備える。一次側電源回路は、トランス６の補助巻線６ｓ、抵抗１４及び１５、ダイオード１６、コンデンサ１７並びに必要に応じてツェナーダイオード１８を有する。一次側電源回路は、ＤＣ／ＤＣコンバータ３００の入力電圧及びＦＥＴ５のスイッチング動作に基づいてドライバ回路６００の制御電源Ｖｃｃ１を生成する。具体的には、入力電圧が抵抗１４及び１５を介して降下されるとともに、補助巻線６ｓに発生する電圧がダイオード１６及びコンデンサ１７によって整流及び平滑され、必要に応じてツェナーダイオード１８によって定電圧化されることにより、制御電源Ｖｃｃ１が生成される。不図示の二次側電源回路においては、トランス６の他の補助巻線（不図示）又はコンデンサ９に発生する電圧が定電圧回路（不図示）によって定電圧化されることにより、制御電源Ｖｃｃ２が生成される。定電圧回路は、三端子レギュレータ、シリーズレギュレータ、シャントレギュレータ等であればよい。
【００２２】
ドライバ回路６００は、制御ＩＣ２０及びコンデンサ１９を含み、制御電源Ｖｃｃ１の供給を受けて一次側グランドＧ１を基準電位として動作する。コンデンサ１９は、後述のフィードバック端子（ＦＢ端子）と一次側グランドＧ１の間に接続される。ドライバ回路６００は、フィードバック回路７００からのＦＢ端子への入力に応じてＤＣ／ＤＣコンバータ３００のＦＥＴ５をＰＷＭ駆動する。なお、制御ＩＣ２０には、コンデンサ１９以外にも、不図示の周辺回路部品が更に接続される。
【００２３】
制御ＩＣ２０は、フライバックコンバータを駆動するための汎用のスイッチング制御ＩＣであればよく、少なくとも、制御電源端子（ＶＣＣ端子）、グランド端子（ＧＮＤ端子）、ゲート出力端子（ＯＵＴ端子）、電流センス端子（ＩＳＮＳ端子）及びフィードバック端子（ＦＢ端子）を有する。さらに、制御ＩＣ２０は、不図示のゼロクロス検出端子（ＺＣＤ端子）、マルチプライヤ入力端子（ＭＵＬ端子）及び補償端子（ＣＯＭＰ端子）を有する。
【００２４】
制御ＩＣ２０は、制御電源Ｖｃｃ１に接続されたＶＣＣ端子から動作電源の供給を受け、一次側グランドＧ１に接続されたＧＮＤ端子を基準電位として動作する。なお、制御ＩＣ２０は、起動時又は停止時、すなわち補助巻線６ｓからの給電がない場合には、抵抗１４及び１５を介して給電される。ＯＵＴ端子はＦＥＴ５のゲート端子に（必要に応じて不図示のゲート抵抗を介して）接続され、その内部回路がＦＥＴ５のＰＷＭゲート信号を出力する。ＩＳＮＳ端子は、電流検知抵抗７とＦＥＴ５のソース端子との接続点に接続され、電流検知抵抗７に発生するＦＥＴ電流に対応する電圧の入力を受ける。ＭＵＬ端子（不図示）及びＩＳＮＳ端子の入力によってＦＥＴ５のスイッチング動作が適正化される。ＦＢ端子は、フォトトランジスタ３０ｔのコレクタ端子及びコンデンサ１９に接続される。
【００２５】
ＶＣＣ端子においてＶＣＣ端子電圧が動作開始電圧Ｖｓｔ（例えば、１３Ｖ程度）を超えると、制御ＩＣ２０は起動し、ＰＷＭゲート信号の出力を開始する。一方、制御ＩＣ２０が動作している状態から、ＶＣＣ端子電圧が動作下限電圧Ｖｕｖ（例えば、９Ｖ程度）まで低下すると、制御ＩＣ２０は停止し、ＰＷＭゲート信号の出力を停止する。
【００２６】
図２に示すように、制御ＩＣ２０の内部では、例えば、ＦＢ端子は内部基準電圧源２０ａ（例えば、５Ｖの定電圧源）に抵抗２０ｂを介して接続され、ＯＵＴ端子はゲート回路２０ｃに接続される。ゲート回路２０ｃでは、ＦＢ端子の入力電圧に応じて、ＰＷＭゲート信号のパルス幅（オン幅）が決定される。具体的には、制御ＩＣ２０では、ＦＢ端子電圧の増加に対してＰＷＭゲート信号のオン幅が増加するように構成されているものとし、これによりＦＢ端子電圧の増加に対して出力電流が増加する。
【００２７】
制御ＩＣ２０は、ＦＢ端子電圧が下限閾値Ｖｓｖｐ（例えば、０．５Ｖ程度）以下の場合にはＯＵＴ端子からのＰＷＭゲート信号の出力を停止する。この停止状態は、ＦＢ端子電圧が下限閾値Ｖｓｖｐより高くなることにより解除される。また、制御ＩＣ２０は、ＦＢ端子電圧が上限閾値Ｖｏｖｐ（例えば、３．５Ｖ程度）以上となる場合には、過電圧保護機能により、ＰＷＭゲート信号の出力を停止するとともにＶＣＣ端子電圧を放電させる。これにより、例えばＦＢ端子がオープン状態の場合等において過電圧保護が作動すると、ＰＷＭゲート信号の出力が停止されるとともにＶＣＣ端子電圧が低下し、ＶＣＣ端子電圧が動作下限電圧Ｖｕｖまで低下した時点で制御ＩＣ２０が停止する（ＶＣＣ端子電圧の放電も終了する）。ここで、抵抗１４及び１５を介して制御電源Ｖｃｃ１が生成されている場合には、ＶＣＣ端子電圧は上昇に転じ、これが動作開始電圧Ｖｓｔを超えた時点で制御ＩＣ２０は再起動する。このように、過電圧保護の作動時には、制御ＩＣ２０は、抵抗１４及び１５を介した給電があることを条件に、数秒周期で間欠的にＤＣ／ＤＣコンバータ３００を動作させることになる。
【００２８】
ＩＳＮＳ端子には、トランス６の１次巻線に流れる電流に比例した三角波電圧が入力される。制御ＩＣ２０は、ＩＳＮＳ端子電圧のピーク値が保護閾値を超えると、過電力保護機能によってＰＷＭゲート信号を停止するとともにＶＣＣ端子電圧を放電させる。この過電力保護機能による停止の場合も、上述した過電圧保護機能による停止の場合と同様に、制御ＩＣ２０は間欠的にＤＣ／ＤＣコンバータ３００を動作させる。なお、上述した各端子を有するような制御ＩＣ２０は市場で入手可能であり（例えば、ミツミ電機株式会社製のＭＭ３４６０）、他の端子のそれぞれの機能は当業者には周知であるので、その詳細な説明を省略する。
【００２９】
フィードバック回路７００は、オペアンプ２１及び２２、電圧源２３、２４及び２７、ダイオード２５及び２６、抵抗２８及び２９並びにフォトカプラ３０（フォトダイオード３０ｄ及びフォトトランジスタ３０ｔ）を含み、二次側制御回路を構成する。フィードバック回路７００は、制御電源Ｖｃｃ２の供給を受けて二次側グランドＧ２を基準電位として動作する。概略として、オペアンプ２１は出力電流を一定化させる機能を担う定電流制御用のオペアンプであり、オペアンプ２２は出力電圧を一定化させる機能を担う定電圧制御用のオペアンプである。そして、ＤＣ／ＤＣコンバータ３００の出力状態に応じて、定電流制御及び定電圧制御の一方がダイオード２５及び２６からなるダイオードＯＲ回路によって選択され、フォトダイオード３０ｄの入力状態が決定される。なお、フォトカプラ３０の入力信号又は出力信号をフィードバック信号というものとする。
【００３０】
定電流制御用のオペアンプ２１の負入力端子（−）には検出回路４００（電流検出抵抗１０）によって検出された検出電流値が入力され、正入力端子（＋）には出力電流の目標値（目標電流値）に対応する電圧が電圧源２３から入力される。なお、オペアンプ２１の負入力端子と出力端子間には不図示の帰還素子（抵抗、コンデンサ、又はこれらの直列回路若しくは並列回路）が接続されるものとする。オペアンプ２１は、負入力端子に入力される検出電流値と、正入力端子に入力される目標電流値との誤差を増幅して出力する。言い換えると、ダイオード２５がオンされて定電流制御が選択されている場合には、オペアンプ２１は、検出電流値が目標電流値に一致するようにフィードバック信号を生成することになる。電圧源２３の電圧値は、制御電源Ｖｃｃ２の分圧値であればよい。
【００３１】
定電圧制御用のオペアンプ２２の負入力端子（−）には検出回路４００（抵抗１１、１２及び１３）によって検出された検出電圧値が入力され、正入力端子（＋）には出力電圧の目標電圧値（上限電圧値）に対応する電圧が電圧源２４から入力される。なお、オペアンプ２２の負入力端子と出力端子間にも不図示の帰還素子が接続されるものとする。オペアンプ２２は、負入力端子に入力される検出電圧値と、正入力端子に入力される上限電圧値との誤差を増幅して出力する。言い換えると、ダイオード２６がオンされて定電圧制御が選択されている場合には、オペアンプ２２は、検出電圧値が上限電圧値に一致するようにフィードバック信号を生成することになる。電圧源２４の電圧値は、制御電源Ｖｃｃ２の分圧値であればよい。
【００３２】
ダイオード２５及び２６からなるダイオードＯＲ回路は、オペアンプ２１の出力端子電圧又はオペアンプ２２の出力端子電圧のいずれか低い方に対してオンする。ダイオードＯＲ回路の共通アノードはフォトダイオード３０ｄのカソード側に接続される。フォトダイオード３０ｄのアノードは電圧源２７に抵抗２８を介して接続され、フォトダイオード３０ｄに抵抗２９が並列接続される。電圧源２７の電圧値は、制御電源Ｖｃｃ２等であればよい。フォトトランジスタ３０ｔには、フォトダイオード３０ｄに流れる電流（発光）に応じた出力電流が流れる。このように、フィードバック回路７００において、検出電流値（又は検出電圧値）と目標電流値（又は上限電圧値）の誤差に基づいてフィードバック信号が生成され、フォトカプラ３０を介してフィードバック回路７００から一次側のドライバ回路６００に伝達される。
【００３３】
したがって、例えば定電流制御において、検出電流値が目標電流値よりも高い時点では、オペアンプ２１の誤差増幅作用によってフォトダイオード３０ｄ及びフォトトランジスタ３０ｔの電流が増加する。これにより、制御ＩＣ２０のＦＢ端子電圧が低下し、ＦＥＴ５のＰＷＭ駆動におけるオン幅が狭まり、出力電流が減少する。逆に、検出電流値が目標電流値よりも低い時点では、オペアンプ２１の誤差増幅作用によってフォトダイオード３０ｄ及びフォトトランジスタ３０ｔの電流が減少する。これにより、制御ＩＣ２０のＦＢ端子電圧が上昇し、ＦＥＴ５のＰＷＭ駆動におけるオン幅が拡がり、出力電流が増加する。
【００３４】
ここで、点滅抑制回路８００がなかったとした場合のＬＥＤ用電源装置１００において制御異常が発生した場合の回路動作を説明する。なお、制御異常とは、フィードバック回路７００における定電流制御等のフィードバック制御が正常に動作せずに、結果としてフォトトランジスタ３０ｔが実質的にオフとなる状態をいうものとする。例えば、オペアンプ２１及び２２の故障により両出力端子がオープン又はハイ状態となっている場合、フォトカプラ３０の故障によりフォトトランジスタ３０ｔがオフ状態となっている場合、電流検出抵抗１０が短絡している場合等が制御異常の状態に対応する。また、オペアンプ２１及び２２の出力オープン状態又はフォトトランジスタ３０ｔのオフ状態は、制御電源Ｖｃｃ２の電圧不足によっても引き起こされ得る。すなわち、制御異常時には、実際の出力電流値にかかわらず出力電流を最大限増加させるように作用するフィードバック信号が生成される。これらの制御異常状態においては、制御ＩＣ２０のＦＢ端子電圧は、内部基準電圧源２０ａの電圧（例えば、５Ｖ）に等しくなり、上限閾値Ｖｏｖｐ（例えば、３．５Ｖ）を超えることになる。
【００３５】
図８に、比較例として、点滅抑制回路８００がない場合の制御異常時の各部波形を示す。図８は、上段から出力電流、ＦＢ端子電圧及びＶＣＣ端子電圧を示し、横軸は時間である。
【００３６】
時刻ｔ２１において、制御異常が発生したものとする。時刻ｔ２１からＦＢ端子電圧がコンデンサ１９及び内部抵抗２０ｂの時定数で上昇し、これに応じて出力電流も増加していく。
【００３７】
時刻ｔ２２においてＦＢ端子電圧が上限閾値Ｖｏｖｐに達すると、制御ＩＣ２０はＯＵＴ端子からのＰＷＭゲート信号の出力を停止し、これにより出力電流はゼロとなる。また、制御ＩＣ２０は、ＶＣＣ端子電圧の放電を開始する。また、内部基準電圧源２０ａが停止してＦＢ端子電圧は低下していく。
【００３８】
時刻ｔ２３において、ＶＣＣ端子電圧が動作下限電圧Ｖｕｖまで低下すると、制御ＩＣ２０は停止する。この時点から、抵抗１４及び１５を介した給電によってＶＣＣ端子電圧が上昇に転じる。また、内部基準電圧源２０ａの上昇開始に伴い、ＦＢ端子電圧が上昇を開始する。
【００３９】
時刻ｔ２４において、ＶＣＣ端子電圧が動作開始電圧Ｖｓｔを超えると制御ＩＣ２０は再起動する。これにより、ＯＵＴ端子がＦＢ端子電圧に応じたオン幅のＰＷＭゲート信号を出力し、出力電流が発生及び増加していく。なお、制御ＩＣ２０の仕様として、時刻ｔ２４においてＦＢ端子電圧の上昇が開始する構成もあり得る。
【００４０】
時刻ｔ２５の状況は時刻ｔ２２の状況と同じである。すなわち、ＦＢ端子電圧が上限閾値Ｖｏｖｐに達することにより出力電流はゼロとなる。また、ＶＣＣ端子電圧の放電が開始され、ＦＢ端子電圧が低下していく。
【００４１】
このように、制御異常時には出力電流の停止と再開が繰り返され、これによりＬＥＤ５０は点滅する。この点滅の周期は、回路定数、交流電源電圧等によって異なるが、概ね秒単位（数秒周期）となる。
【００４２】
点滅抑制回路８００は、上記のような制御異常時のＬＥＤ５０の点滅を抑制する。点滅抑制回路８００は、ツェナーダイオード３１、コンデンサ３５、トランジスタ３４、３８及び４２、フォトカプラ３９並びに抵抗３２、３３、３６、３７、４０及び４１を備え、フォトカプラ３９は、フォトダイオード３９ｄ及びフォトトランジスタ３９ｔを内蔵する。点滅抑制回路８００は、一次側グランドＧ１を基準電位として動作する。
【００４３】
ツェナーダイオード３１が、カソードをＦＢ端子側に向けてＦＢ端子とトランジスタ３４のベース端子の間に接続され、抵抗３２がツェナーダイオード３１に直列接続される。トランジスタ３４のコレクタ端子は抵抗３３を介して制御電源Ｖｃｃ１に接続され、エミッタ端子はコンデンサ３５及び抵抗３６に接続される。コンデンサ３５はトランジスタ３４のエミッタ端子と一次側グランドＧ１の間に接続される。トランジスタ３８のベース端子は抵抗３６を介してコンデンサ３５に接続される。トランジスタ３８のエミッタ端子は一次側グランドＧ１に接続され、コレクタ端子はフォトダイオード３９ｄのカソード及びフォトトランジスタ３９ｔのコレクタ端子に接続される。フォトダイオードの３９ｄのアノードは抵抗３７を介して制御電源Ｖｃｃ１に接続される。フォトトランジスタ３９ｔのエミッタ端子は抵抗４０を介して一次側グランドＧ１に接続され、抵抗４１を介してトランジスタ４２のベース端子に接続される。トランジスタ４２のエミッタ端子は一次側グランドＧ１に接続され、コレクタ端子はＦＢ端子に接続される。
【００４４】
なお、本実施形態では、トランジスタ３４、３８及び４２としてバイポーラトランジスタが採用されるが、ＦＥＴが採用されてもよい。この場合、ベース端子、コレクタ端子及びエミッタ端子は、それぞれゲート端子、ドレイン端子及びソース端子に対応し、それぞれを総称して制御端子、入力端子及び出力端子というものとする。また、採用されるトランジスタ３４、３８及び４２によっては、抵抗３２、３６及び４１の一部又は全部は省略（短絡）されてもよい。
【００４５】
点滅抑制回路８００の回路動作を説明する。点滅抑制回路８００において、実際の出力電流に対応する電圧（以下、「出力相関電圧」という）として、ＦＢ端子電圧がツェナーダイオード３１に入力される。制御異常時に、ＦＢ端子電圧がツェナーダイオード３１のツェナー電圧を超えると、ツェナーダイオード３１がオンし、トランジスタ３４にベース電流が流れ、トランジスタ３４がオンする。これに関して、ＦＢ端子電圧が異常検出閾値Ｖｔｈ１を超えるとトランジスタ３４がオンするものとする。この異常検出閾値Ｖｔｈ１は、下限閾値Ｖｓｖｐよりも充分に高く、上限閾値Ｖｏｖｐよりも低い（すなわち、Ｖｓｖｐ＜＜Ｖｔｈ１＜Ｖｏｖｐである）。あるいは、異常検出閾値Ｖｔｈ１は、ＩＳＮＳ端子に関して上述した過電力保護が作動する状態に対応するＦＢ端子電圧よりも低い。要は、ＦＢ端子電圧が上昇しても、過電圧保護又は過電力保護が作動する前にトランジスタ３４がオンされることが必要である。なお、異常検出閾値Ｖｔｈ１及びトランジスタ３４の特性によっては、ツェナーダイオード３１は省略され得る。トランジスタ３４がオンすると、制御電源Ｖｃｃ１から抵抗３３及びトランジスタ３４を介してコンデンサ３５が充電される。詳細を後述するように、ＦＢ端子電圧は間欠的に異常検出閾値Ｖｔｈ１を超えるので、トランジスタ３４は間欠的にオンし、この各オン期間によってコンデンサ３５は段階的に充電される。
【００４６】
コンデンサ３５の電圧がトランジスタ３８の動作閾値（作動閾値）Ｖｏｎを超えると、トランジスタ３８がオンする。トランジスタ３８がオンすると、制御電源Ｖｃｃ１から抵抗３７、フォトダイオード３９ｄ及びトランジスタ３８を介してトリガ電流が流れる。このトリガ電流がフォトダイオード３９ｄに流れることによって、フォトトランジスタ３９ｔがオンする。これにより、制御電源Ｖｃｃ１から抵抗３７、フォトダイオード３９ｄ、フォトトランジスタ３９ｔ及び抵抗４１を介してトランジスタ４２のベース端子にラッチ電流が流れる。このラッチ電流によりトランジスタ４２がオン状態に維持され、ＦＢ端子が一次側グランドＧ１に短絡された状態が維持される。すなわち、コンデンサ３５の電圧が作動閾値Ｖｏｎを超えた時点でトリガ電流及びラッチ電流が流れ、その後トランジスタ３８がオフしてもラッチ電流が流れ続け、トランジスタ４２のオン状態がラッチされる。これにより、ＦＢ端子電圧がゼロに固定される。
【００４７】
ＦＢ端子電圧が所定回数にわたって上限閾値Ｖｏｖｐに達した場合にコンデンサ３５の電圧が作動閾値Ｖｏｎを超えるように、異常検出閾値Ｖｔｈ１、コンデンサ３５の容量及びコンデンサ３５の充電電流が設定されるものとする。コンデンサ３５の充電電流は、制御電源Ｖｃｃ１の電圧値、抵抗３３の抵抗値、トランジスタ３４の特性等によって決まる。上記所定回数（すなわち点滅回数）は１回以上１０回以下程度が好ましく、２回以上４回以下程度がより好ましい。このように、適切な点滅回数を経てＬＥＤ５０の消灯が行われるので、点滅継続による不快感の防止と点滅による異常の報知とが両立される。
【００４８】
なお、ＦＢ端子電圧がゼロに維持される場合、ＦＥＴ５によるトランス６のスイッチング動作が停止するため、補助巻線６ｓからの電圧は得られなくなる。ただし、ラッチ電流はＤＣ／ＤＣコンバータ３００から抵抗１４及び１５を介して供給されるので、トランジスタ４２のオン、すなわちＤＣ／ＤＣコンバータ３００の駆動停止状態は、交流電源ＡＣが再投入されるまで維持される。
【００４９】
図３に、点滅抑制回路８００を有するＬＥＤ用電源装置１００の制御異常時の各部波形を示す。図３は、上段から出力電流、ＦＢ端子電圧、コンデンサ３５の電圧、トランジスタ３８の動作状態、フォトカプラ３９及びトランジスタ４２の動作状態並びにＶＣＣ端子電圧を示し、横軸は時間である。なお、図は寸法通りではない。
【００５０】
時刻ｔ１において、制御異常が発生したものとする。時刻ｔ１からＦＢ端子電圧がコンデンサ１９及び内部抵抗２０ｂの時定数で上昇し、これに応じて出力電流も増加していく。
【００５１】
時刻ｔ２において、ＦＢ端子電圧が異常検出閾値Ｖｔｈ１を超えると、トランジスタ３４がオンし、コンデンサ３５が充電される。
【００５２】
時刻ｔ３においてＦＢ端子電圧が上限閾値Ｖｏｖｐに達すると、制御ＩＣ２０はＯＵＴ端子からのＰＷＭゲート信号の出力を停止し、これにより出力電流はゼロとなる。また、制御ＩＣ２０は、ＶＣＣ端子電圧の放電を開始し、これに伴い内部基準電圧源２０ａが低下してＦＢ端子電圧は低下していく。これにより、トランジスタ３４がオフとなり、コンデンサ３５の電圧はその後自然放電によってわずかに減少していく。
【００５３】
時刻ｔ４において、ＶＣＣ端子電圧が動作下限電圧Ｖｕｖ（例えば、９Ｖ）まで低下すると、制御ＩＣ２０は停止する。この時点から、抵抗１４及び１５を介した給電によってＶＣＣ端子電圧が上昇に転じる。また、内部基準電圧源２０ａの上昇開始に伴い、ＦＢ端子電圧が上昇を開始する。
【００５４】
時刻ｔ５において、ＶＣＣ端子電圧が動作開始電圧Ｖｓｔ（例えば、１３Ｖ）を超えると制御ＩＣ２０は再起動する。これにより、ＯＵＴ端子がＦＢ端子電圧に応じたオン幅のＰＷＭゲート信号を出力し、出力電流が発生及び増加していく。なお、制御ＩＣ２０の仕様として、時刻ｔ５においてＦＢ端子電圧の上昇が開始する構成であってもよい。
【００５５】
時刻ｔ６及びｔ７の状況は時刻ｔ２の状況と同じである。すなわち、ＦＢ端子電圧が異常検出閾値Ｖｔｈ１を超え、トランジスタ３４がオンしてコンデンサ３５が充電される。このように、コンデンサ３５が段階的に充電されていく。
【００５６】
時刻ｔ８（充電完了時）において、コンデンサ３５の電圧がトランジスタ３８の動作閾値（作動閾値）Ｖｏｎを超えると、トランジスタ３８がオンし、上述したように、フォトカプラ３９のフォトダイオード３９ｄにトリガ電流が発生し、トリガ電流によってフォトダイオード３９ｄ及びフォトトランジスタ３９ｔにラッチ電流が発生し、ラッチ電流によってトランジスタ４２がオンする。トランジスタ４２がオンしてＦＢ端子電圧がゼロ（すなわち、下限閾値Ｖｓｖｐ以下）となることによって、ＰＷＭゲート信号が停止され、出力電流がゼロとなる。
【００５７】
このように、制御異常時には、ＬＥＤ５０は点滅後に消灯され、その消灯状態が維持される。なお、時刻ｔ１から時刻ｔ８までの時間は、上述した適切な点滅回数に応じて、数秒〜十数秒程度であればよい。
【００５８】
以上のように、本実施形態のＬＥＤ用電源装置１００は、直流出力電流をＬＥＤ５０に供給可能なＤＣ／ＤＣコンバータ３００と、ＤＣ／ＤＣコンバータ３００を駆動するドライバ回路６００と、点滅抑制回路８００とを備え、点滅抑制回路８００は、直流出力電流に対応する出力相関電圧が間欠的に異常検出閾値Ｖｔｈ１を超える各期間にコンデンサ３５を充電し、段階的に充電されるコンデンサ３５の電圧が作動閾値Ｖｏｎを超える充電完了時に、ドライバ回路６００にＤＣ／ＤＣコンバータ３００の駆動を停止状態に固定させるように構成される。このように、出力相関電圧が間欠的に異常検出閾値Ｖｔｈ１を超える各期間にコンデンサ３５が充電され、出力電流の間欠出力の周期でコンデンサ３５が段階的に充電されていく。そして、充電完了時以降は、ＤＣ／ＤＣコンバータ３００の駆動が停止され、ＬＥＤ５０が消灯される。したがって、制御異常時のＤＣ／ＤＣコンバータ３００の間欠出力によるＬＥＤ５０の長周期かつ長期的な点滅が抑制される。これにより、ＬＥＤ照明装置１５０は、制御異常時においても、点滅継続による不快感をユーザに与えることはない。
【００５９】
特に、本実施形態では、ドライバ回路６００は、ＦＢ端子電圧が下限閾値Ｖｓｖｐ以下である場合にＤＣ／ＤＣコンバータ３００の駆動を停止し、ＦＢ端子電圧が下限閾値Ｖｓｖｐより高く上限閾値Ｖｏｖｐ未満である場合にＦＢ端子電圧に応じてＤＣ／ＤＣコンバータ３００を駆動し、ＦＢ端子電圧が上限閾値Ｖｏｖｐ以上となる場合にＤＣ／ＤＣコンバータ３００を間欠的に駆動するように構成される。ここで、出力相関電圧はＦＢ端子電圧であり、異常検出閾値Ｖｔｈ１が上限閾値Ｖｏｖｐよりも低く、点滅抑制回路８００は、充電完了時にＦＢ端子電圧を下限閾値Ｖｓｖｐ以下の値（ゼロ）に固定するように構成される。このように、出力電流を直接決定するＦＢ端子電圧が出力相関電圧として採用されるので、高い信頼性でＬＥＤ５０の点滅を検出及び停止することが可能となる。
【００６０】
＜第２の実施形態＞
上記第１の実施形態では、出力相関電圧としてＦＢ端子電圧を用いて点滅状態を検出する構成を示したが、本実施形態では、出力相関電圧としてＯＵＴ端子電圧（すなわち、ＰＷＭゲート信号）の積分値を用いて点滅状態を検出する構成を示す。
【００６１】
図４に、本実施形態のＬＥＤ用電源装置１００及びＬＥＤ照明装置１５０の回路図を示す。本実施形態と第１の実施形態とは、点滅抑制回路８００のツェナーダイオード３１の入力部が異なり、他の部分は実質的に同様である。本実施形態において、第１の実施形態と実質的に同様の構成には同様の符号を付し、その重複する説明を省略する。
【００６２】
本実施形態においては、点滅抑制回路８００は、ＯＵＴ端子電圧であるＰＷＭゲート信号の積分値（以下、「ＰＷＭ積分値」という）を取得する積分回路を有する。点滅抑制回路８００はダイオード４３、抵抗４４及びコンデンサ４５を更に備え、抵抗４４及びコンデンサ４５からなる積分回路がダイオード４３を介してＯＵＴ端子に接続される。これにより、ＦＥＴ５に印加されるゲート電圧に影響を与えることなく、コンデンサ４５においてＰＷＭ積分値が得られ、これがツェナーダイオード３１に入力される。ＰＷＭゲート信号の電圧振幅値は、ＶＣＣ端子電圧と実質的に同じである。したがって、補助電源回路５００のツェナーダイオード１８のツェナー電圧の設定によって、ＰＷＭゲート信号の電圧振幅値が決まる。
【００６３】
ＯＵＴ端子電圧であるＰＷＭゲート信号は、交流電源ＡＣの位相（すなわち、不図示のＭＵＬ端子の入力）及びＦＢ端子電圧に応じたオンデューティとなり、交流電源ＡＣの同じ位相角においては、オンデューティはＦＢ端子電圧の増加に対して実質的に単調増加する。したがって、交流電源ＡＣの各サイクルのピーク付近において、ＰＷＭ積分値はＦＢ端子電圧に対して単調増加する。そこで、本実施形態では、制御異常時におけるＰＷＭ積分値が異常検出閾値Ｖｔｈ２を超える場合にトランジスタ３４がオンするように、抵抗４４及びコンデンサ４５の積分時定数、ツェナーダイオード３１のツェナー電圧等の回路定数が設定される。この異常検出閾値Ｖｔｈ２は、ＦＢ端子電圧が上限閾値Ｖｏｖｐに達する状態でのＰＷＭ積分値よりも低く、あるいは、ＩＳＮＳ端子による過電力保護が作用する状態でのＰＷＭ積分値よりも低いものとする。
【００６４】
図５に、ＬＥＤ用電源装置１００の制御異常時の各部波形を示す。図５は、上段から出力電流、ＦＢ端子電圧、ＰＷＭ積分値、コンデンサ３５の電圧、トランジスタ３８の動作状態、フォトカプラ３９及びトランジスタ４２の動作状態並びにＶＣＣ端子電圧を示し、横軸は時間である。なお、図は寸法通りではない。
【００６５】
時刻ｔ１１において、制御異常が発生したものとする。時刻ｔ１１からＦＢ端子電圧がコンデンサ１９及び内部抵抗２０ｂの時定数で上昇し、これに応じて出力電流も増加していく。
【００６６】
時刻ｔ１２において、ＰＷＭ積分値が異常検出閾値Ｖｔｈ２を超えると、トランジスタ３４がオンし、コンデンサ３５が充電される。
【００６７】
時刻ｔ１３においてＦＢ端子電圧が上限閾値Ｖｏｖｐに達すると、制御ＩＣ２０はＯＵＴ端子からのＰＷＭゲート信号の出力を停止し、これにより出力電流はゼロとなる。また、制御ＩＣ２０は、ＶＣＣ端子電圧の放電を開始し、これに伴い内部基準電圧源２０ａが低下してＦＢ端子電圧は低下していく。これにより、トランジスタ３４がオフとなり、コンデンサ３５の電圧はその自然放電によってわずかに減少していく。
【００６８】
時刻ｔ１４において、ＶＣＣ端子電圧が動作下限電圧Ｖｕｖまで低下すると、制御ＩＣ２０は停止する。この時点から、抵抗１４及び１５を介した給電によってＶＣＣ端子電圧が上昇に転じる。また、内部基準電圧源２０ａの上昇開始に伴い、ＦＢ端子電圧が上昇を開始する。
【００６９】
時刻ｔ１５において、ＶＣＣ端子電圧が動作開始電圧Ｖｓｔを超えると制御ＩＣ２０は再起動する。これにより、ＰＷＭゲート信号のオンデューティが増加し、ＰＷＭ積分値及び出力電流が増加していく。なお、制御ＩＣ２０の仕様として、時刻ｔ１５においてＦＢ端子電圧の上昇が開始する構成であってもよい。
【００７０】
時刻ｔ１６及びｔ１７の状況は時刻ｔ１２の状況と同じである。すなわち、ＰＷＭ積分値が異常検出閾値Ｖｔｈ２を超え、トランジスタ３４がオンしてコンデンサ３５が充電される。このように、コンデンサ３５が段階的に充電される。
【００７１】
時刻ｔ１８（充電完了時）以降の動作は、第１の実施形態の時刻ｔ８以降の動作と同様である。すなわち、コンデンサ３５の電圧がトランジスタ３８の動作閾値（作動閾値）Ｖｏｎを超えると、トランジスタ３８がオンしてフォトダイオード３９ｄにトリガ電流が流れ、これによりフォトトランジスタ３９ｔにラッチ電流が流れてトランジスタ４２がオン状態に維持される。トランジスタ４２がオンしてＦＢ端子電圧がゼロ（すなわち、下限閾値Ｖｓｖｐ以下）に固定されることによって、ＰＷＭゲート信号の停止及び出力電流の停止が維持される。このように、制御異常時には、ＬＥＤ５０は点滅後に消灯され、この消灯状態が維持される。
【００７２】
以上のように、本実施形態においても、第１の実施形態と同様に、制御異常時のＤＣ／ＤＣコンバータ３００の間欠出力によるＬＥＤ５０の長周期かつ長期的な点滅が抑制される。特に、本実施形態のＬＥＤ用電源装置１００では、上記仕様のドライバ回路６００が用いられる構成において、出力相関電圧は、ＰＷＭゲート信号を積分して得られるＰＷＭ積分値であり、点滅抑制回路８００は、充電完了時にＦＢ端子電圧を下限閾値Ｖｓｖｐ以下の値（ゼロ）に固定するように構成される。このように、比較的高い電圧振幅値を設定可能なＰＷＭゲート信号の積分値が出力相関電圧として採用されるので、出力相関電圧の変動幅が広く、点滅抑制回路８００における高い設計自由度が得られる。
【００７３】
＜第３の実施形態＞
上記第１又は第２の実施形態においては、制御異常時にＬＥＤ５０の点滅状態を消灯状態に移行させる構成を示したが、本実施形態では、ＬＥＤ５０の点滅状態を減光状態に移行させる構成を示す。
【００７４】
図６に、本実施形態におけるドライバ回路６００及び点滅抑制回路８００を示す。本実施形態は、第１の実施形態とは、トランジスタ４２のコレクタ端子と制御ＩＣ２０のＦＢ端子との間に抵抗４６が接続された点が異なり、他の部分は実質的に同様である。本実施形態において、第１の実施形態と実質的に同様の構成には同様の符号を付し、その重複する説明を省略する。
【００７５】
制御異常時にトランジスタ４２がオン状態にある場合に、ＦＢ端子電圧は、内部基準電圧源２０ａを内部抵抗２０ｂ及び抵抗４６で分圧した設定値Ｖｓｅｔに固定される。この設定値Ｖｓｅｔは、下限閾値Ｖｓｖｐよりも高く、かつ出力電流が定格ＬＥＤ電流以下となるような値（少なくとも異常検出閾値Ｖｔｈ１よりも充分に低い値）である。したがって、ＦＢ端子電圧が設定値Ｖｓｅｔに固定されることにより、ＬＥＤ５０は減光点灯される。言い換えると、制御異常時には、フィードバック回路７００の動作とは無関係なフィードフォワード制御が実行される。なお、本実施形態の構成は、第２の実施形態におけるＬＥＤ用電源装置１００（図４）においても、抵抗４６をトランジスタ４２のコレクタ端子と制御ＩＣ２０のＦＢ端子との間に接続することにより、同様に適用可能である。
【００７６】
図７に、ＬＥＤ用電源装置１００の制御異常時の各部波形を示す。図７は、上段から出力電流、ＦＢ端子電圧、コンデンサ３５の電圧、トランジスタ３８の動作状態、フォトカプラ３９及びトランジスタ４２の動作状態並びにＶＣＣ端子電圧を示し、横軸は時間である。なお、図は寸法通りではない。
【００７７】
時刻ｔ１〜ｔ７までの動作は、第１の実施形態（図３）で示した時刻ｔ１〜ｔ７と同様である。すなわち、時刻ｔ１において制御異常が発生し、ＦＢ端子電圧及び出力電流が増加していき、時刻ｔ２においてＦＢ端子電圧が異常検出閾値Ｖｔｈ１を超えると、コンデンサ３５の充電が開始される。時刻ｔ３においてＦＢ端子電圧が上限閾値Ｖｏｖｐに達すると、制御ＩＣ２０はＰＷＭゲート信号の出力を停止し、出力電流はゼロとなる。時刻ｔ４において、ＶＣＣ端子電圧が動作下限電圧Ｖｕｖまで低下すると制御ＩＣ２０は停止し、この時点から抵抗１４及び１５を介した給電によってＶＣＣ端子電圧が上昇に転じる。時刻ｔ５において、ＶＣＣ端子電圧が動作開始電圧Ｖｓｔを超えると制御ＩＣ２０は再起動し、出力電流が発生及び増加していく。時刻ｔ６及びｔ７の状況は時刻ｔ２の状況と同じであり、コンデンサ３５が段階的に充電される。
【００７８】
時刻ｔ８（充電完了時）において、コンデンサ３５の電圧がトランジスタ３８の動作閾値（作動閾値）Ｖｏｎを超えると、トランジスタ３８がオンし、上述したように、フォトカプラ３９のフォトダイオード３９ｄにトリガ電流が発生し、トリガ電流によってフォトダイオード３９ｄ及びフォトトランジスタ３９ｔにラッチ電流が発生し、ラッチ電流によってトランジスタ４２がオンする。トランジスタ４２がオンされてＦＢ端子電圧が設定値Ｖｓｅｔに固定されることによって、ＬＥＤ５０の点滅状態は、低減された出力電流による減光状態に移行される。
【００７９】
以上のように、本実施形態のＬＥＤ用電源装置１００の点滅抑制回路８００は、上記第１又は第２の実施形態において、制御異常時に、ＦＢ端子電圧をゼロに固定してＬＥＤ５０を消灯する代わりに、ＦＢ端子電圧を直流出力電流が定格ＬＥＤ電流値以下となるように設定された設定値Ｖｓｅｔに固定してＬＥＤ５０を減光するように構成される。これにより、上記第１又は第２の実施形態で得られる効果に加えて、制御異常時においても連続光による最小限の照明機能が確保されるという効果が得られる。
【００８０】
＜変形例＞
以上に本発明の好適な実施形態を示したが、本発明は、例えば以下に示すように種々の態様に変形可能である。
【００８１】
（１）ＤＣ／ＤＣコンバータ３００の変形
上記各実施形態においては、ＤＣ／ＤＣコンバータ３００が力率改善型フライバックコンバータである構成を示した。一方、本発明は、ＤＣ／ＤＣコンバータ３００が、例えば低ワット用（入力電力が３０Ｗ以下）の力率改善型でないフライバックコンバータ（すなわち、入力コンデンサの容量が出力コンデンサの容量よりも大きい構成）である構成にも適用可能である。また、本発明は、ＤＣ／ＤＣコンバータ３００が、バックコンバータ、バックブーストコンバータ等の他の形態のＤＣ／ＤＣコンバータである構成にも適用可能である。
【００８２】
（２）制御ＩＣ２０に関する変形
上記各実施形態においては、ドライバ回路６００が特定の制御ＩＣ２０で構成される場合を説明したが、上述した各端子の機能を実現する他の制御ＩＣ又はアナログ回路でドライバ回路６００が構成される場合にも本発明は適用可能である。
【符号の説明】
【００８３】
５  スイッチング素子
６  トランス（インダクタ素子）
６ｓ  補助巻線
３４、３８、４２  トランジスタ
３５  コンデンサ
３９  フォトカプラ
３９ｄ  フォトダイオード
３９ｔ  フォトトランジスタ
５０  ＬＥＤ
１００  ＬＥＤ用電源装置
１５０  ＬＥＤ照明装置
３００  ＤＣ／ＤＣコンバータ
６００  ドライバ回路
８００  点滅抑制回路
【図１】
2017123261.tif 000003
【図２】
2017123261.tif 000004
【図３】
2017123261.tif 000005
【図４】
2017123261.tif 000006
【図５】
2017123261.tif 000007
【図６】
2017123261.tif 000008
【図７】
2017123261.tif 000009
【図８】
2017123261.tif 000010